(57)【要約】  【課題】  ＡＤＦを備えた構成の画像読取装置において、単一の読取手段により、原稿の姿勢に負担を掛けずに、原稿の両面を読み取ることができる原稿搬送装置を提供することである。【解決手段】  搬送される原稿の第一面を読み取る第一読取位置へ原稿を送る第一搬送路と、第一面を読み取られた原稿を第一反転部にてスイッチバックして第二読取位置へ送る第二搬送路とを有していると共に、単一の読取手段が前記第一読取位置と前記第二読取位置との間を移動自在な構成とし、前記単一の読取手段により原稿の両面を読み取る構成とした。【選択図】    図１
2005089151.tif 000002
【特許請求の範囲】
【請求項１】
自動原稿給紙装置（ＡＤＦ）を備える画像読取装置において、搬送される原稿の第一面を読み取る第一読取位置へ原稿を送る第一搬送路と、第一面を読み取られた原稿を第一反転部にてスイッチバックして第二読取位置へ送る第二搬送路とを有していると共に、前記第二読取位置にて第二面が読み取られた原稿を第二反転部でスイッチバックして表裏反転させた後で、排出トレイに排出する構成としていることを特徴とする原稿搬送装置。
【請求項２】
単一の読取手段が前記第一読取位置と前記第二読取位置との間を移動自在であることを特徴とする請求項１に記載の原稿搬送装置。
【請求項３】
前記読取手段は、前記第一読取位置において原稿の第一面を読み取った後で、前記原稿が前記第一反転部にてスイッチバックされて第二読取位置へ送られてくる時に、既に第二読取位置に移動している構成であることを特徴とする請求項２に記載の原稿搬送装置。
【請求項４】
前記第一および第二読取位置の搬送路が略直線状であることを特徴とする請求項１から３のいずれかに記載の原稿搬送装置。
【発明の詳細な説明】
【技術分野】
【０００１】
本発明は、複写機、プリンタ、ファクシミリ装置等の画像読取装置における原稿搬送装置に係り、さらに詳しくは、原稿の両面を読み取るのに好適な原稿搬送装置に関するものである。
【背景技術】
【０００２】
従来、原稿の両面を読み取る画像読取装置としては、まず、原稿を読取部へ給送して一面を読み取り、排出ローラにより排出トレイ上の排出口へ搬送した後に、原稿の後端を挟持する排出ローラの回転方向を逆転し（スイッチバックし）、該原稿を原稿戻し経路を通じて反転させつつ再度読取部へ給送して、次に裏面を読み取って排出トレイへ排出するように構成されている。
【０００３】
また、二箇所に読取手段を設けた画像読取装置として、原稿の両面を別々に読み取るように構成したものが公開されている。（例えば、特許文献１参照）
さらに、スイッチバック形式の原稿搬送路とすると共に、ミラーを用いて単一の読取手段により原稿の両面を別々に読み取るように構成した画像読取装置もすでに公開されている。（例えば、特許文献２参照）
【特許文献１】特開平１−１９４６５８号公報（第１−８頁、第２図）
【特許文献２】特開平６−３３８９８８号公報（第１−４頁、第１図）
【発明の開示】
【発明が解決しようとする課題】
【０００４】
上記の特許文献１に記載の画像（原稿）読取装置では、読取手段を二箇所に設けており、コストが高くなっていると共に、フラットベッドスキャナにＡＤＦを備えた構成の画像読取装置においては、レイアウトの関係上読取手段が近接せざるを得ず、互いの光源の影響が無視できずに画質低下につながっていた。
【０００５】
また、前記特許文献２に記載の画像読取装置では、単一の読取手段により原稿の両面を読み取る構成ではあるが、スイッチバック搬送路の湾曲部付近にて、ミラーを用いて原稿面を読み取る構成であり、原稿が湾曲した状態で読み取っており、原稿に負担を掛けずに読み取る構成ではない。
【０００６】
本発明の目的は、単一の読取手段により、原稿の姿勢に負担を掛けずに、原稿の両面を読み取ることができる原稿搬送装置を提供することである。
【課題を解決するための手段】
【０００７】
上記の目的を達成するために請求項１に係る発明は、自動原稿給紙装置（ＡＤＦ）を備える画像読取装置において、搬送される原稿の第一面を読み取る第一読取位置へ原稿を送る第一搬送路と、第一面を読み取られた原稿を第一反転部にてスイッチバックして第二読取位置へ送る第二搬送路とを有していると共に、前記第二読取位置にて第二面が読み取られた原稿を第二反転部でスイッチバックして表裏反転させた後で、排出トレイに排出する構成としていることを特徴としている。
【０００８】
上記の構成を有する請求項１に係る発明によれば、両面を読み取った原稿をページ順を揃えて排出トレイへ排出することができる。
【０００９】
請求項２に係る発明は、単一の読取手段が前記第一読取位置と前記第二読取位置との間を移動自在であることを特徴としている。
【００１０】
上記の構成を有する請求項２に係る発明によれば、単一の読取手段にて原稿の両面を読み取ることができる。
【００１１】
請求項３に係る発明は、前記読取手段は、前記第一読取位置において原稿の第一面を読み取った後で、前記原稿が前記第一反転部にてスイッチバックされて第二読取位置へ送られてくる時に、既に第二読取位置に移動している構成であることを特徴としている。
【００１２】
上記の構成を有する請求項３に係る発明によれば、原稿の搬送を停止することなく連続的に送り込みながら、単一の読取手段にて原稿の両面を読み取ることができる。
【００１３】
請求項４に係る発明は、前記第一および第二読取位置の搬送路が略直線状であることを特徴としている。
【００１４】
上記の構成を有する請求項４に係る発明によれば、原稿の両面をそれぞれ正確に読み取ることができる。
【発明の効果】
【００１５】
本発明によれば、ＡＤＦを備えた構成の画像読取装置において、単一の読取手段にて、原稿を略直線状として原稿の両面を正確に読み取ることができる。
【発明を実施するための最良の形態】
【００１６】
単一の読取手段により、原稿の片面或いは両面を読み取ることができる原稿搬送装置を得るという目的を、第一読取位置と第二読取位置との間を移動自在な読取手段とすることで実現した。
【実施例】
【００１７】
以下、本発明に係る原稿搬送装置の実施例について、図１から図４に基づいて説明する。
【００１８】
図１は本発明に係る原稿搬送装置の内部構成を示す概略断面図である。図２は読取手段の要部説明図である。図３はフェースダウン下取りで両面読取の場合の原稿の流れを示すフローチャートである。図４はフェースアップ上取りで両面読取の場合の原稿の流れを示すフローチャートである。
【００１９】
図１に示す画像読取装置Ｍは、例えばＡＤＦ（自動原稿給紙装置）を備えるファクシミリ装置であって、画像の読取と記録の両方を行うことができるものである。前記画像読取装置Ｍは本体上部に設けられたＡＤＦ（自動原稿給紙装置）により、原稿を搬送しながら原稿の画像を読み取って記録部（不図示）にて記録用紙に記録する構成である。
【００２０】
原稿給紙口１から供給される原稿は、搬送ローラ２を経由して、第一搬送路１０に供給されて、第一読取位置Ａにおいて、原稿を略直線状として原稿の第一面（原稿の下面）を読み取る。その後で、スイッチバックローラ３を経由して第一反転部１１に送り込む。この時に、前記スイッチバックローラ３の上流側に配設している反転センサ１２Ａが搬送される原稿の後端を検知すると、前記スイッチバックローラ３の回転方向を逆にして原稿をスイッチバックさせるものである。
【００２１】
スイッチバックされた原稿は分岐レバー１３Ａを介して第二搬送路２０へ送られ、第二読取位置Ｂにおいて、搬送される原稿の第二面（原稿の上面）を読み取る。この時、読取手段１４はその読取ヘッド１４Ａを既に第二読取位置Ｂに回動移動した状態となっている。つまり、第一読取位置Ａにおける読取も、第二読取位置における読取もいずれも単一の読取手段１４が行う構成としている。
【００２２】
上述したように、原稿が第一反転部１１に送り込まれてスイッチバックされ第二読取位置Ｂに到達する時には、既に前記読取手段１４は第一読取位置Ａから第二読取位置Ｂに回動移動して待機した状態であって、原稿の搬送操作を停止することなく、単一の読取手段にて、原稿の両面を読み取ることができる。
【００２３】
第二読取位置Ｂにて第二面が読み取られた原稿は、搬送ローラ４を経由して、第二反転部２１へ向かうか、または、排出搬送路２２へ転向されて排出ローラ６から排出トレイ７に排出される。これは、排出する原稿の重ね合わせ方向によるものであり、そのいずれかの搬送経路を選択すればよい。
【００２４】
上記の搬送経路の変更と選択は、分岐レバー１３Ｃの位置を変更するように制御して行っている。
【００２５】
第二反転部２１へ送られた原稿はスイッチバックローラ５と、該スイッチバックローラ５の上流側に配設する反転センサ１２Ｂとの協働作用により、スイッチバックされ、分岐レバー１３Ｄを介して排出迂回路２３を経由して、排出ローラ６から排出トレイ７に排出される。
【００２６】
また、原稿の片面のみを読み取る場合には、前記の搬送経路をそのまま用いて第一読取位置Ａあるいは第二読取位置Ｂのいずれかにおいて読み取るように構成してもよいが、第一搬送路１０から分岐レバー１３Ｂを介して直接第二搬送路２０へ向かう迂回搬送路３０（図中の破線に示す）を設けて、スイッチバックせずに第一読取位置Ａにて原稿を読み取って搬送する構成とすることもできる。
【００２７】
上記で説明した搬送ローラあるいはスイッチバックローラはそれぞれ駆動ローラと従動ローラとからなる送りローラ対である。ただしスイッチバックローラは駆動ローラの回転方向を正逆自在に制御可能としていて、搬送する原稿の送り方向を変更自在な構成にしている。
【００２８】
読取手段１４は図２に示すように、読取ヘッド１４Ａと支持部材１４Ｂと回動装置１４Ｃとを備えており、回動装置１４Ｃにより矢印Ｃ方向に支点１４ａを回転中心に回動して、第一搬送路１０に対向する第一読取位置Ａと第二搬送路２０に対向する第二読取位置Ｂとの間を移動自在な構成とされている。
【００２９】
前記回動装置１４Ｃとしては、ロータリーソレノイドやステップモータ等の予め回転角度を設定可能な構成の回動装置を採用すればよい。または、シリンダー部材１４Ｄにより支持部材１４Ｂから延設したアーム１４Ｅを揺動する構成とし、読取ヘッド１４Ａを回動する構成としてもよく、回動装置を特に限定するものではない。
【００３０】
前記の第一読取位置Ａあるいは第二読取位置Ｂにおいて原稿を読み取る際に、該原稿を略直線状として読取を行うので、画像が乱れることがなく、確実に原稿を読み取ることができる。
【００３１】
ここで図３と図４に示すフローチャートにより原稿の送り方向と排出原稿の重ね合わせについて再確認する。
【００３２】
先ず、原稿給紙口１からフェースダウン下取りにて原稿を供給する場合では図３に示すように、ステップＳ１にて原稿給紙口１に原稿を供給する。その原稿は第一搬送路１０を経過（Ｓ２）して、第一読取位置Ａにて原稿の第一面を読み取る（Ｓ３）。第一面が読み取られた原稿を第一反転部に送り込んでスイッチバックし（Ｓ４）、そのまま第二搬送路２０を経過（Ｓ５）させて、第二読取位置Ｂにて原稿の第二面を読み取る（Ｓ６）。その後第二反転部にてスイッチバックして（Ｓ７）、排出迂回路２３を経由して排出トレイ７へ排出され（Ｓ８）て原稿の搬送が終了する。
【００３３】
また、原稿給紙口１からフェースアップ上取りにて原稿を供給する場合では図４に示すように、原稿給紙口１に原稿を供給する（Ｓ１１）。その原稿は第一搬送路１０を経過（Ｓ１２）して、第一読取位置Ａにて原稿の第一面を読み取る（Ｓ１３）。第一面が読み取られた原稿を第一反転部に送り込んでスイッチバックし（Ｓ１４）、そのまま第二搬送路２０を経過（Ｓ１５）させて、第二読取位置Ｂにて原稿の第二面を読み取る（Ｓ１６）。その後排出搬送路２２を経由して排出トレイ７へ排出し（Ｓ１７）て原稿の搬送が終了する。
【００３４】
上記のように構成すると、原稿給紙口１から、フェースダウン下取り、または、フェースアップ上取りのいずれの場合にも、供給される原稿の重ね合わせの順番が狂うことなく順に積み重ねて排出することができる。
【００３５】
上述したように、単一の読取手段にて原稿の両面を読み取ると共に、読み取る際に、原稿を略直線状として読取操作を行うので、画像が乱れることがなく、確実に読み取ることができる。
【００３６】
また、単一の読取装置にて両面読取を行うので、コスト的にも有効である。
【図面の簡単な説明】
【００３７】
【図１】本発明に係る原稿搬送装置の内部構成を示す概略断面図である。
【図２】読取手段の要部説明図である。
【図３】フェースダウン下取りで両面読取の場合の原稿の流れを示すフローチャートである。
【図４】フェースアップ上取りで両面読取の場合の原稿の流れを示すフローチャートである。
【符号の説明】
【００３８】
１  原稿給紙口
７  排出トレイ
１０  第一搬送路
１１  第一反転部
１４  読取手段
１４Ａ  読取ヘッド
２０  第二搬送路
２１  第二反転部
２２  排出搬送路
２３  排出迂回路
Ａ  第一読取位置
Ｂ  第二読取位置
Ｍ  画像読取装置
【図１】
2005089151.tif 000003
【図２】
2005089151.tif 000004
【図３】
2005089151.tif 000005
【図４】
2005089151.tif 000006